(57)【特許請求の範囲】
【請求項１】
送泥管内を流通する試料を採取する試料採取装置であって、
送泥管内を流通する試料の一部を導入する試料導入配管部と、
この試料導入配管部から供給された試料によって前回採取試料の残留成分を洗浄除去した後に前記供給された試料を計り採り、この計り採った試料を自然流下によって試料ビンに移送する計量手段と
を備え、
前記計量手段は、
前記試料導入配管部に接続される第一バルブ手段と、
この第一バルブ手段に接続されると共に前記試料導入配管部から導入して計り採った試料を試料ビンに移送する配管部と、
この配管部に立設されると共に末端が開放可能である前記導入した試料を計り採る管状に形成された計量部と、
前記配管部に接続される第二バルブ手段と
を備え、
前記第一バルブ手段は、試料を導入する時及び導入した試料によって前記計量部内の前回採取試料の残留成分を洗浄除去する時に開となる一方で、前記計量部が前記導入した試料を計り採った時に閉となること、
前記第二バルブ手段は、試料を導入する時及び導入した試料によって前記残留成分を洗浄除去する時並びに試料を計り採る時に閉となる一方で、測り採った試料を試料ビンに移送する時に開となること
を特徴とする試料採取装置。
【請求項２】
送泥管内を流通する試料を採取する試料採取装置であって、
送泥管内を流通する試料の一部を導入する試料導入配管部と、
この試料導入配管部から供給された試料によって前回採取試料の残留成分を洗浄除去した後に前記供給された試料を計り採り、この計り採った試料を自然流下によって試料ビンに移送する計量手段と
を備え、
前記計量手段は、
前記試料導入配管部に接続されるバルブ手段と、
このバルブ手段に接続されると共に前記試料導入配管部から導入して計り採った試料を試料ビンに移送する配管部と、
この配管部に立設されると共に末端が開放可能である前記導入した試料を計り採る管状に形成された計量部と、
前記配管部と前記計量部との接続部に形成された開口部と、
この開口部を開閉可能に密閉する弁板と
を備え、
前記弁板は、試料を導入する時及び導入した試料によって前記計量部内の前回採取試料の残留成分を洗浄除去する時並びに試料を計り採る時に前記開口部を密閉する一方で、計り採った試料を試料ビンに移送する時に前記密閉された開口部を開口すること
を特徴とする試料採取装置。
【請求項３】
送泥管内を流通する試料を採取する試料採取装置であって、
送泥管内を流通する試料の一部を導入する試料導入配管部と、
この試料導入配管部から供給された試料によって前回採取試料の残留成分を洗浄除去した後に前記供給された試料を計り採り、この計り採った試料を自然流下によって試料ビンに移送する計量手段と
を備え、
前記計量手段は、
前記試料導入配管部に接続されると共に試料の供給路を変更可能なバルブ手段と、
このバルブ手段に立設されると共に末端が開放可能である前記導入した試料を計り採る管状に形成された計量部と
を備え、
前記バルブ手段は、試料を導入する時及び導入した試料によって前記計量部内の前回採取試料の前記残留成分を洗浄除去する時並びに試料を計り採る時に試料の供給路を計量部側に設定する一方で、計り採った試料を試料ビンに移送する時に試料の供給路を試料ビン側に設定すること
を特徴とする試料採取装置。
【請求項４】
前記試料導入配管部には試料を前記計量部に移送するためのポンプが具備されたこと
を特徴とする請求項３記載の試料採取装置。
【請求項５】
前記計量部には導入された試料及びこの試料によって洗浄除去された前記残留成分を系外移送するための移送配管が接続されたこと
を特徴とする請求項１から４のいずれか１項に記載の試料採取装置。
【請求項６】
前記移送配管は送泥管に接続されて前記試料及び前記残留成分が前記送泥管に返送されること
を特徴とする請求項５記載の試料採取装置。
【請求項７】
試料導入配管部は前記計量手段が前記送泥管に設置された計測器の近傍に配置されるように前記送泥管に接続されたこと
を特徴とする請求項１から６のいずれか１項に記載の試料採取装置。
【発明の詳細な説明】
【０００１】
【発明の属する技術分野】
本発明は、活性汚泥を用いた排水処理施設、下水処理施設で発生する汚泥の性状等を分析するための試料を、送泥ラインから直接移動的に採取する装置で、特に、同一ラインに設置された汚泥濃度計の計測器の測定値を評価または校正するために試料を採取する試料採取装置に関するものである。
【０００２】
【従来の技術】
下水処理施設において、水質分析用の試料を自動採取する装置は、従来から各種市販されている。そして、最も多く普及している自動採取装置としては、吸引式のものがあり、その一例として、図５（ａ）及び（ｂ）に示したものがある。
【０００３】
図５（ａ）に開示された試料採取装置は、チューブポンプ等で直接試料を試料ビン  に採取する方式で、採取量はポンプの動作時間の設定で調節する。また、採取後は、採液チューブ内に残留した試料液を、ポンプを逆転させることで、返送し、次回の採液に前回の採液が残らないように考慮されている。
【０００４】
図５（ｂ）に開示された試料採取装置は、計量槽を設けたタイプのもので、吸引ポンプで計量槽内を負圧にして試料を吸引し、レベルスイッチ等で液面を検出して計量し、バルブの開閉操作で試料を試料ビンに採取する。採取後は、吸引ポンプの吸引／吐出口を切り替え、採取チューブ内に残留した試料液を圧力で返送している。
【０００５】
これらのタイプは、加圧状態でないつまり大気圧下での水槽内の試料を採取するためのもので、送泥ラインの様な比較的高い圧力で、かつ、その圧力が変動するような場所からは試料採取できない。また、下水汚泥中には、毛髪や粒状の固形物等大小様々な夾雑物を含んでいるため、比較的口径の大きな採泥管が必要となる。
【０００６】
【発明が解決しようとする課題】
図５（ａ）（ｂ）のタイプの自動採取装置は、もともと、水槽内に滞留している大気圧状態下の試料を採取する目的で作られており、送泥ラインから直接汚泥を採取する場合のような管内圧力を想定していない。また、送泥ラインの圧力は汚泥ポンプや送泥先と採取位置の関係等で、採取場所によって圧力が大きく異なってくる。そのため、図５（ａ）（ｂ）のタイプのものでは、対応できない場合がほとんどである。
【０００７】
また、試料採取装置は、試料を採取する場合、送泥ラインに設置された計測器（例えば汚泥濃度計）の精度確認や校正のために試料を採取する必要があるため、その性能として、試料導入ラインの圧力及びその変動に対応が可能である他に、適切な試料採取のタイミングや、前回採取し残留した試料に起因する試料精度の低下を抑えること等が要求される。
【０００８】
本発明は、かかる事情に鑑みなされたもので、その目的は、試料導入ラインの圧力及びその変動に対応でき、且つ前回採取した試料の残留成分に起因する試料精度の低下を抑えることができると共に、試料採取時刻と計測器の測定値とが時間的一致性を確保しながらの出力及び記録ができる試料採取装置の提供にある。
【０００９】
【課題を解決するための手段】
前記課題を解決するために、本発明は以下のことを特徴とする。
【００１０】
請求項１記載の発明は、送泥管内を流通する試料を採取する試料採取装置であって、送泥管内を流通する試料の一部を導入する試料導入配管部と、この試料導入配管部から供給された試料によって前回採取試料の残留成分を洗浄除去した後に前記供給された試料を計り採り、この計り採った試料を自然流下によって試料ビンに移送する計量手段とを備え、前記計量手段は、前記試料導入配管部に接続される第一バルブ手段と、この第一バルブ手段に接続されると共に前記試料導入配管部から導入して計り採った試料を試料ビンに移送する配管部と、この配管部に立設されると共に末端が開放可能である前記導入した試料を計り採る管状に形成された計量部と、前記配管部に接続される第二バルブ手段とを備え、前記第一バルブ手段は、試料を導入する時及び導入した試料によって前記計量部内の前回採取試料の残留成分を洗浄除去する時に開となる一方で、前記計量部が前記導入した試料を計り採った時に閉となること、前記第二バルブ手段は、試料を導入する時及び導入した試料によって前記残留成分を洗浄除去する時並びに試料を計り採る時に閉となる一方で、測り採った試料を試料ビンに移送する時に開となる。
【００１１】
請求項２記載の発明は、送泥管内を流通する試料を採取する試料採取装置であって、送泥管内を流通する試料の一部を導入する試料導入配管部と、この試料導入配管部から供給された試料によって前回採取試料の残留成分を洗浄除去した後に前記供給された試料を計り採り、この計り採った試料を自然流下によって試料ビンに移送する計量手段とを備え、前記計量手段は、前記試料導入配管部に接続されるバルブ手段と、このバルブ手段に接続されると共に前記試料導入配管部から導入して計り採った試料を試料ビンに移送する配管部と、この配管部に立設されると共に末端が開放可能である前記導入した試料を計り採る管状に形成された計量部と、前記配管部と前記計量部との接続部に形成された開口部と、この開口部を開閉可能に密閉する弁板とを備え、前記弁板は、試料を導入する時及び導入した試料によって前記計量部内の前回採取試料の残留成分を洗浄除去する時並びに試料を計り採る時に前記開口部を密閉する一方で、計り採った試料を試料ビンに移送する時に前記密閉された開口部を開口する。
【００１２】
請求項３記載の発明は、送泥管内を流通する試料を採取する試料採取装置であって、送泥管内を流通する試料の一部を導入する試料導入配管部と、この試料導入配管部から供給された試料によって前回採取試料の残留成分を洗浄除去した後に前記供給された試料を計り採り、この計り採った試料を自然流下によって試料ビンに移送する計量手段とを備え、前記計量手段は、前記試料導入配管部に接続されると共に試料の供給路を変更可能なバルブ手段と、このバルブ手段に立設されると共に末端が開放可能である前記導入した試料を計り採る管状に形成された計量部とを備え、前記バルブ手段は、試料を導入する時及び導入した試料によって前記計量部内の前回採取試料の前記残留成分を洗浄除去する時並びに試料を計り採る時に試料の供給路を計量部側に設定する一方で、計り採った試料を試料ビンに移送する時に試料の供給路を試料ビン側に設定する。
【００１３】
請求項４記載の発明は、請求項３記載の試料採取装置において、前記試料導入配管部には試料を前記計量部に移送するためのポンプが具備される。
【００１４】
請求項５記載の発明は、請求項１から４のいずれか１項に記載の試料採取装置において、前記計量部には導入された試料及びこの試料によって洗浄除去された前記残留成分を系外移送するための移送配管が接続されている。
【００１５】
請求項６記載の発明は、請求項５記載の試料採取装置において、前記移送配管は送泥管に接続されて前記試料及び前記残留成分が前記送泥管に返送される。
【００１６】
請求項７記載の発明は、請求項１から６のいずれか１項に記載の試料採取装置において、試料導入配管部は前記計量手段が前記送泥管に設置された計測器の近傍に配置されるように前記送泥管に接続されている。
【００１８】
【発明の実施の形態】
以下、図面を参照しながら本発明の実施形態について説明する。
【００１９】
（実施形態１）
図１は、本発明の試料採取装置の実施形態を示した概略構成図である。
【００２０】
本実施形態における試料採取装置は、送泥管１内を流通する汚泥の一部を試料として導入するための配管部２と、この配管部に導入された試料を計量採取するための計量手段３と、この計量手段を動作制御するための制御手段６とを備える。
【００２１】
計量手段３は、第一バルブ手段（以下、Ｖ１）を介して配管部２と接続され、試料を導入するための配管部３１と、この配管部に接続され、導入した試料を一時的に滞留させるための第二バルブ手段（以下、Ｖ２）と、試料を計り取るための計量部３２と、を備えてなる。Ｖ２には、計り採った試料を試料ビン４に供給するための配管部３３が接続される。Ｖ１及びＶ２は、二方弁が採用され、送泥できるものであれば、既知の電動バルブでもよい。
【００２２】
また、当該試料採取装置においては、複数の試料ビン４が設置される場合がある。そのため、図示したように、例えばターンテーブル５が具備され、これには複数の試料ビン４が着脱自在に設置される。ターンテーブル５は、制御手段６によって、各試料ビン４に所定量分注できるように動作制御される。
【００２３】
計量部３２は、管状に形成され、配管部３１に立設される。このとき、計量部３２は、配管部３１内に導入された試料の液面に対して垂直となるように設けられる。したがって、計量部３２は、必ずしも配管部３１に対し垂直となるように接続する必要はない。例えば、試料ビン４方向に適度な傾斜角度で下方傾斜させた配管部３１に、計量部３２を接続させてもよい。このような配管構成とすることで、計量部３２における前回採取試料の残留量を低減させることができる。
【００２４】
また、計量部３２においては、図示されたように、計量部３２内雰囲気を大気開放とするための第三バルブ手段（以下、Ｖ３）がされる。さらに、計量部３２には、採取した試料を系外に排出するための配管３４が接続される。Ｖ３も、Ｖ１及びＶ２と同様に、二方弁が採用され、既知の電動バルブでよい。尚、Ｖ３は、必ずしも付帯する必要はなく、試料採取時に、計量部３２上端から試料液が吹き出さないように、管路を長くするか、または、管路を排液溝まで配設することで、省略することができる。
【００２５】
制御手段６は、少なくとも計量手段３におけるバルブ手段の運転信号を受けて、タイムスケジュールに基づく制御信号を、各バルブ手段（Ｖ１，Ｖ２，Ｖ３）や計量手段３さらにはターンテーブル５に供給する。そのため、制御手段６は、タイマーを備えると共に、タイムスケジュールを読み出しと書き込みとを自在に格納するメモリを備える。また、制御手段には、必要に応じて、濃度計変換器１１から測定信号を受け、これを外部出力するための表示器７が付帯される場合がある。
【００２６】
図１を参照しながら当該試料採取装置の動作例について概説する。当該試料採取装置は、例えば、制御手段６によって、共洗い工程、計量工程、採取工程、待機工程を実行する。
【００２７】
先ず、制御手段６で設定した採取時刻になると、先ず、共洗い工程が開始する。当該工程では、Ｖ２とＶ３は「閉」に、Ｖ１は「開」に設定される。このとき、送泥管の圧送圧力によって、試料が配管部２を介して計量部３２内に導入される。ここで、試料供給ラインに残留した前回採取した試料の成分は、配管部３４を介して系外除去される。そして、配管系統が今回の試料によって共洗いできるに十分な時間が経過すると、計量工程に移行する。計量工程では、Ｖ１は「閉」に、Ｖ３は「開」に設定される。ここで、立ち上がった配管（高さｈ：計量部）分の試料が計り取られる。次いで、採取工程では、Ｖ２が「開」に設定される。このとき、計り取った分の試料は自然流下によって試料ビン４に採取される。ここで、Ｖ１を「閉」としたタイミングに合わせて、採取した時刻と濃度計出力値との読み取りがなされ、これらの値は制御手段６内に具備されたメモリ部に格納されると共に、表示手段７によって試料ビン４の番号や、採取時刻及び濃度計出力値が表示される。採液時刻は、制御手段６にて任意に設定される。採取工程が終了すると、待機工程または再度、共洗い工程に移行する。
【００２８】
このように、本実施形態の試料採取装置における試料採取に係る配管系は、大気開放状態となっているので、送泥管１における試料流通ラインの圧力とその変動に対応できる。
【００２９】
また、前回試料採取時の試料の滞留に対しては、採取した試料で洗浄除去（共洗い）で対応しているので、前回採取試料の性状が今回採取試料の性状に影響を及ぼすことはない。
【００３０】
さらに、試料を計り採るための計量手段３を試料採取に係る配管の一部として構成しているので、計量手段３を送泥管１の近傍に配置することが可能となり、試料採取時刻と計測器測定値とが、時間的一致を確保しながらの出力及び記録ができる。
【００３１】
（実施形態２）
本発明の他の実施形態としては、実施形態１に係る試料採取装置の計量手段３において、Ｖ２を具備しない形態としてもよい。
【００３２】
図２は、本実施形態に係る試料採取装置の概略構成図である。
【００３３】
本実施形態において、計量手段は、配管部３１に計量部３２を立設し、この接続部に、採取した試料を試料ビン４に移送するための開口部７０を設け、さらに、この開口部を開閉自在に密閉する弁板７１を具備したような構成となっている。
【００３４】
弁板７１は、シャフト部７２を介し回転軸７３と連絡する。回転軸７３は、図示省略されたモーター部によって回転動作する。そして、モーター部は、制御手段６による手動運転及びタイムスケジュールに基づく自動運転によって、回転軸７３を任意に正逆回転させ、弁板７１による開口部７０の開閉動作を実行する。尚、モーター部の回転速度は適宜調節される。
【００３５】
Ｖ３を用いた実施形態１に係る試料採取装置では、バルブ手段を支持する構造や、計量部下端とバルブを接続するたの若干の距離を必要とすること等があるため、配管部３１内において共洗いできない部分が残留する場合があるが、本実施形態においては、計量手段３を前記構成とすることで、試料供給ラインの圧力及びその変動に対応が可能であると共に、配管部３１における試料滞留量をより一層低減させることできる。
【００３６】
図２を参照しながら当該試料採取装置の動作例について概説する。ここでも、当該試料採取装置は、例えば、制御手段６によって、共洗い工程、計量工程、採取工程、待機工程を実行する。
【００３７】
制御手段６で設定した採取時刻になると、先ず、共洗い工程が開始する。当該工程では、開口部７０とＶ３は「閉」に、Ｖ１は「開」に設定される。このとき、送泥管の圧送圧力によって、試料が配管部２を介して計量部３２内に導入される。ここで、試料供給ラインに残留した前回採取した試料の成分は、配管部３４を介して系外除去される。そして、配管系統が今回の試料によって共洗いできるに十分な時間が経過すると、計量工程に移行する。計量工程ではＶ１は「閉」に、Ｖ３は「開」に設定される。ここで、立ち上がった配管（高さｈ：計量部）分の試料が計り取られる。次いで、採取工程では、開口部７０が「開」に設定される。このとき、計り取った分の試料は自然流下によって試料ビン４に採取される。ここで、Ｖ１を「閉」としたタイミングに合わせて、採取した時刻と濃度計出力値との読み取りがなされ、これらの値は制御手段６内に具備されたメモリ部に格納されると共に、表示手段７によって試料ビンの番号や、採取時刻及び濃度計出力値が表示される。採液時刻は、制御手段６にて任意に設定される。採取工程が終了すると、待機工程または再度、共洗い工程に移行する。
【００３８】
（実施形態３）
本発明の他の実施形態としては、実施形態１における計量手段３のバルブ手段において、二方弁の代わりに、三方弁を具備した形態としてもよい。当該バルブ手段も、送泥できるものであれば、既知で市販の電動三方バルブでもよい。
【００３９】
図３は、本実施形態に係る試料採取装置の概略構成図である。
【００４０】
本実施形態において、計量手段３は、配管２に接続されるバルブ手段（以下、Ｖ１）に、試料を所定量計り採るための計量部３２を立設して構成される。また、Ｖ１には、計り採った試料を試料ビン４に移送するための配管３３が接続される。
【００４１】
本実施形態においても、実施形態１と同様に、複数の試料ビン４が設置される場合がある。すなわち、ターンテーブル５が具備され、これには複数の試料ビン４が着脱自在に設置される。ターンテーブル５は、制御手段６によって、各試料ビン４に所定量分注できるように動作制御される。
【００４２】
Ｖ１は、制御手段６によって動作制御される。試料導入工程においては、Ｖ１におけるポートａ−ｂが導通し、試料が、計量部３２内に導入され、計量採取される。試料採取工程では、Ｖ１におけるポートａ−ｃが導通し、試料が試料ビン４内に導入される。
【００４３】
計量部３２は、実施形態１と同様に、管状に形成される。ここでも、図示されたように実施形態１と同様、計量部３２内雰囲気を大気開放とするための第三バルブ手段（以下、Ｖ３）が接続され、さらには採取した試料を系外に排出するための配管３４が接続される。当該バルブ手段も、実施形態１で述べた同様の趣旨で、省略することができる。
【００４４】
このように、本実施形態の試料採取装置は、実施形態１における配管部３１が省略された構成となっているので、前回試料の残留量をさらに一層低減させることができる。
【００４５】
図３を参照しながら当該試料採取装置の動作例について概説する。ここでも、当該試料採取装置は、例えば、制御手段６によって、共洗い工程、計量工程、採取工程、待機工程を実行する。
【００４６】
制御手段６で設定した採取時刻になると、先ず、共洗い工程が開始する。当該工程では、Ｖ３は「閉」に、Ｖ１は「ポートａ−ｂ導通」に設定される。このとき、送泥管の圧送圧力によって、試料が配管部２を介して計量部３２内に導入される。ここで、試料供給ラインに残留した前回採取した試料の成分は、配管部３４を介して系外除去される。そして、配管系統が今回の試料によって共洗いできるに十分な時間が経過すると、計量工程に移行する。計量工程ではＶ３は「開」に設定される。ここで、立ち上がった配管（高さｈ：計量部）分の試料が計り取られる。次いで、採取工程では、Ｖ１が「ポートｂ−ｃ導通」に設定されると、計り取った分の試料は自然流下によって試料ビンに採取される。このとき、Ｖ１を「ポートａ−ｂ導通」としたタイミングに合わせて、採取した時刻と濃度計出力値との読み取りがなされ、これらの値は制御手段６内に具備されたメモリ部に格納されると共に、表示手段７によって試料ビンの番号や、採取時刻及び濃度計出力値が表示される。採液時刻は、制御手段６にて任意に設定される。採取工程が終了すると、待機工程または再度、共洗い工程に移行する。
【００４７】
（実施形態４）
図４も、本発明の他の実施形態を示した概略構成図である。
【００４８】
本実施形態の試料採取装置は、実施形態３の試料採取装置において、配管部２に、試料を採取するためのポンプＰ１を備えている。このとき、配管部２には、逆止弁が適宜設定される。Ｐ１は、制御手段６によって。採泥のタイミングに合わせて動作制御される。
【００４９】
本実施形態において、計量部３２に接続されている配管３４は、送泥管１に繋いでいる。このように、本実施形態の試料採取装置は、共洗い等に使用した試料（汚泥）を送泥管１に返送しているので、排水設備がない場所においては有効な試料サンプリング手段となる、尚、試料の返流先は送泥管に限らず、汚泥貯留槽等でもよい。
【００５０】
また、これまで述べた実施形態と同様、本実施形態でも、計量部３２には、計量部３２内雰囲気を大気開放とするためのバルブ手段（図４においてはＶ３）が接続され場合がある。当該バルブ手段も、実施形態１で述べた同様の趣旨で、省略することができる。
【００５１】
図４を参照しながら当該試料採取装置の動作例について概説する。ここでも、当該試料採取装置は、例えば、制御手段６によって、共洗い工程、計量工程、採取工程、待機工程を実行する。
【００５２】
制御手段６で設定した採取時刻になると、先ず、共洗い工程が開始する。当該工程では、Ｖ１は「ポートａ−ｂ導通」に設定され、Ｖ３は「閉」に設定される。このとき、Ｐ１が作動し、試料は配管部２を介して計量部３２内に導入される。ここで、試料供給ラインに残留した前回採取した試料の成分は、配管部３４を介して送泥管１に返流される。そして、配管系統が今回の試料によって共洗いできるに十分な時間が経過すると、Ｐ１は停止し、液量工程に移行する。計量工程ではここで、立ち上がった配管（高さｈ：計量部）分の試料が計り取られる。そして、採取工程では、Ｖ１が「ポートｂ−ｃ導通」に設定されると、計り取った分の試料は自然流下によって試料ビンに採取される。このとき、Ｐ１を「停止」としたタイミングに合わせて、採取した時刻と濃度計出力値との読み取りがなされ、これらの値は制御手段６内に具備されたメモリ部に格納されると共に、表示手段７によって試料ビンの番号や、採取時刻及び濃度計出力値が表示される。採液時刻は、制御手段６にて任意に設定される。採取工程が終了すると、待機工程または再度、共洗い工程に移行する。
【００５３】
【発明の効果】
以上の説明から明らかなように本発明は以下の効果を奏する。
【００５４】
（１）本発明の試料採取装置は、試料採取に係る配管系が大気開放状態となっているので、試料供給ラインの圧力とその変動に対応できる。
【００５５】
（２）本発明においては、試料採取に係る配管系において採取時の試料によって前回採取試料が洗浄除去されるので、前回採取した試料の残留成分に起因する試料精度の低下を抑えることができる。
【００５６】
（３）試料を計り採るための計量手段を試料採取に係る配管の一部として構成しているので、試料計量手段を送泥管の近傍に配置することが可能となり、これにより、試料採取時刻と計測器の測定値とが時間的一致性を確保しながらの出力及び記録ができる。
【００５７】
また、本発明に係る弁構造は、市販のバルブ手段を適用できるので、前記（１）〜（３）の効果に加え、製造コストを低廉に抑えることができる。さらに、実施形態２で示した弁構造とすることで、より一層前回試料採取時の試料性状が次回採取時の試料性状に影響を及ぼすことはない。また、実施形態４で示した配管構成とすることで、排水設備がない場所においても適用できる。
【００５８】
本発明の自動採取装置は、計測器の精度評価や校正を目的としない、単なる自動採取の目的でも、そのまま適用できる。
【図面の簡単な説明】
【図１】本発明の実施形態を示した概略構成図。
【図２】本発明における計量手段の実施形態を示した概略構成図。
【図３】本発明の他の実施形態を示した概略構成図。
【図４】本発明の他の実施形態を示した概略構成図。
【図５】従来例の試料採取装置を示した概略構成図、（ａ）はチューブポンプ等で直接試料を採取するタイプ、（ｂ）は計量槽を設けたタイプ。
【符号の説明】
１…送泥管，１０…計測器，１１…変換器
２…配管部
３…計量手段、３１，３３，３４…配管部、７０…開口部，７１…弁板，７２…シャフト部，７３…回転軸
４…試料ビン
５…ターンテーブル
６…制御手段
７…表示手段
Ｖ１，Ｖ２，Ｖ３…バルブ手段
【図１】
0003837350.tif 000002
【図２】
0003837350.tif 000003
【図３】
0003837350.tif 000004
【図４】
0003837350.tif 000005
【図５】
0003837350.tif 000006